(57)【要約】      （修正有）【課題】パソコンのキーボードやマウスを長時間操作していると、室温の状態で手首、前腕部、肘、手の平が机やキーボードに接触する部分が汗をかいて、不快な思いがある。又、冷房が効き過ぎて、手首や前腕部、肘が痛くなり、更に、パソコンが置かれている机とキーボードには僅かな段差が生じているので、不自然な体勢のため、手首や肘が凝って疲れる。以上の問題点を解決するためのパソコン用手首、前腕部保護カバーを提供する。【解決手段】本体カバー１を袋状に形成し、本体カバーの上側には通気性を保つためにメッシュ素材のネットカバー２を設け、下側にはカバー６を設け、本体カバーの袋状の内周のカバー上部にはクッション部７をカバーに取付け、本体カバーの先端の下側から突出した舌片クッション８を設け、クッション部と接合する。【選択図】図１
2020037756.tif 000002
【特許請求の範囲】
【請求項１】
（イ）本体カバーの両端には開口部を有し袋状に形成し、本体カバーの上側には通気性を保つためにメッシュ素材のネットカバーを設け、下側にはカバーが設けられ、
（ロ）本体カバーのカバー上部の内周にはクッション部を設け、本体カバーの先端から中程まで取付けられ、
（ハ）本体カバーの先端の下側から突出した舌片クッションを設け、クッション部と接合されている、
以上のように構成されたパソコン用手首、前腕部保護カバー。
【発明の詳細な説明】
【技術分野】
【０００１】  本発明はクーラーの入った室内で長時間パソコンの操作時を行っていると、室温で机が冷たくなり、その冷えのために手首等が痛くなるのを防止し、更に長時間パソコンを操作する際に手首等の疲れを防止するパソコン用手首、前腕部保護カバーに関するものである。
【背景技術】
【０００２】  従来、パソコンを長時間操作することによって、手首等の疲れや、冷え、汗を防止するために、手首用サポーターを装着したり、タオルを手の平や手首、前腕部の下に置いて疲れを軽減させていた。又、机で事務仕事をする時、両肘に装着する移動可能な肘当ては（特許文献１）や掌部、手の甲及び手首に着用する手袋（特許文献２）が知られていた。
【先行技術文献】
【特許文献】
【０００３】
【特許文献１】特開２０１４−１４８６号公報
【特許文献２】特開２０００−２８２３１２号公報
【発明の概要】
【発明が解決しようとする課題】
【０００４】  パソコンの操作はキーボードやマウス等を長時間動かしていると、季節で異なるが、室温の状態で前腕部や、肘、手の裏が机やキーボードに接触している部分が汗をかいて、不快な思いをしながら、タオル等で拭くことが多々あった。又、冷房が効き過ぎて、手首、前腕部、肘等が痛くなる症状もあった。
更に、パソコンが置かれている机とキーボードには僅かな段差が生じているので、手首が不自然な体勢でパソコン操作を長時間持続すると、手首や前腕部、肘に負担が掛かり、疲労で腱鞘炎になることもある。
キーボード操作時に手の平、手首、前腕部腕部に腕の重みが掛かり、更にキーボードの角に当たり圧迫感を受ける等の不便さが生じていた。
本発明は、以上の問題点を解決するためになされたものである。
【課題を解決するための手段】
【０００５】（イ）本体カバーの両端は開口部を有し袋状に形成し、本体カバーの上側には通気性を保つためにメッシュ素材のネットカバーを設け、下側にはカバーが設けられ、
（ロ）本体カバーの袋状のカバー上部の内周にはクッション部が本体カバーの先端から中程まで取付けられ、
（ハ）本体カバーの先端の下側から突出した舌片クッションを設け、クッション部と接合されている。
以上のように構成されたパソコン用手首保護カバー。
【発明の効果】
【０００６】    本発明の手首、前腕部の保護カバーを装着することによって、冷房のため手首、前腕部、肘が冷えるのを保護することが出来る。又、長時間本カバーを装着しても上部がメッシュ状のカバーなので手首、手の平、前腕部が蒸れるのを防止することができるので、不快感が軽減される。
作業途中にトイレに行き手を洗う際に、舌片クッションを折り曲げることによって、本体カバーを外さなくても良い、つまり装着していても邪魔になら無いので、別の作業をするにも支障が生じることは無い。
長時間キーボード操作をすると、手首、前腕部に押圧力が掛かり疲労するのを、カバーに設けクッション性を有するクッション部と舌片クッションによって軽減することができ、ゆったりとした体勢の構が保たれ、腱鞘炎の防止にも有効である。
【図面の簡単な説明】
【０００７】
【図１】本発明を装着した状態の斜視図。
【図２】本発明の平面図。
【図３】本発明の底面図。
【図４】図３の舌片クッションを折畳んだ状態図。
【図５】本発明を装着してパソコンを操作している状態図。
【発明を実施するための形態】
【０００８】  以下、本発明の実施の形態を説明する。
（イ）図２に示すように、本体カバー（１）はパソコン（１１）のキーボード（１２）、マウスを操作する際に前腕部（３）に装着する。本体カバー（１）の上側には通気性を保つためにメッシュ素材のネットカバー（２）が設けられ、下側にはカバー（６）が設けられ、本体カバー（１）の両端には開口部（５）を有し、袋状に形成されている。
（ロ）本体カバー（１）の袋状のカバー（６）上部の内周にはクッション部（７）が本体カバー（１）の先端から中程まで取付けられている。本体カバー（１）の全体の長さとしては前腕部（３）を覆うように形成されている。このことによって、前腕部（３）に当たる手首から肘の手前までがカバーされる。
（ハ）本体カバー（１）の先端の下側から突出した舌片クッション（８）が設けられ、クッション部（７）と接合されている。舌片クッション（８）とクッション部（７）の厚みは、机（１３）に置かれたパソコン（１１）の机（１３）とキーボード（１２）の高さ分の、段差（１４）程度の厚さに設けられている。
（ニ）舌片クッション（８）は図４に示すように下側に折り返しが出来るように設けられ、面ファスナー（９）（１０）で折り曲げた状態を保つことができる。
本発明は以上のような構造である。
【０００９】  本発明を使用するときは、パソコン操作時に本体カバー（１）は袋状になっているので、本体カバー（１）の開口部（５）から手（４）を挿入して、前腕部（１５）に装着する、この時、ネットカバー（２）が上方に位置するように手首から肘の手前までを覆うようにする。
本体カバー（１）を装着した後、図１に示したように、舌片クッション（８）は手の平（１５）の下に位置させる。
【００１０】  パソコン（１１）のキーボード（１２）を操作するときには、図５に示したように構えて行う。舌片クッション（８）の厚みはキーボード（１２）の段差（１４）を埋める程度に設けてあるので、手首が下に降りないようにすることによって、腕の重荷を軽減する役目を果たすので、長時間の操作の疲れも軽減される。
【００１１】  パソコン操作中にトイレに行き、手を洗う時には本体カバー（１）を取り外さないで、舌片クッション（８）を折り曲げた状態にすれば、手を洗うときには本体カバー（１）が濡れることも無い。
又、段差（１４）の高さが合わない場合は、折り曲げた状態で使用しても良い。又、段差（１４）の高さが合わない場合は、折り曲げた状態で使用しても良い。
【符号の説明】
【００１２】１本体カバー、２ネットカバー、３腕、４手、５開口部、６カバー、７クッション部、８舌片クッション、９面ファスナー、１０面ファスナー、１１パソコン、１２キーボード、１３机、１４段差、１５手の平
【図１】
2020037756.tif 000003
【図２】
2020037756.tif 000004
【図３】
2020037756.tif 000005
【図４】
2020037756.tif 000006
【図５】
2020037756.tif 000007